(57)【要約】【課題】衣類をコンパクトに収納する際に整然と折り畳むことのできるハンガー及び衣類収納具を実現する。【解決手段】本発明のハンガー１０は、本体部分１１、及び、該本体部分１１の左右においてそれぞれ衣類４０が左右に折り畳み可能となるように前記本体部分１１と重なる態様に変位可能に連結された左右の肩支持部分１２を有するハンガー部１０Ａと、前記本体部分１１の左右の側縁位置から下方へ延在する左右の側縁１４を備えるガイド部１０Ｂと、を有することを特徴とする。【選択図】図１
2018094371.tif 000002
【特許請求の範囲】
【請求項１】
本体部分、及び、該本体部分の左右においてそれぞれ衣類が左右に折り畳み可能となるように前記本体部分と重なる態様に変位可能に連結された左右の肩支持部分を有するハンガー部と、
前記本体部分の左右の側縁位置から下方へ延在する左右の側縁を備えるガイド部と、
を有することを特徴とするハンガー。
【請求項２】
前記ガイド部は、前記左右の側縁を連結する方向に延在する下縁をさらに備えることを特徴とする請求項１に記載のハンガー。
【請求項３】
前記ガイド部は、前記本体部分から前記側縁を構成する左右の側枠部分がそれぞれ下方へ延在するとともに、前記下縁を構成し、前記左右の側枠部分の下端同士を連結する下端枠部分とを有する枠状に構成されることを特徴とする請求項２に記載のハンガー。
【請求項４】
前記ガイド部は、上下方向に伸縮可能に構成されることを特徴とする請求項１〜３のいずれか一項に記載のハンガー。
【請求項５】
前記ガイド部を伸長状態に付勢するガイド部付勢部材をさらに有することを特徴とする請求項４に記載のハンガー。
【請求項６】
前記左右の肩支持部分は、前記本体部分に対して折り畳み可能に構成されることを特徴とする請求項１〜５のいずれか一項に記載のハンガー。
【請求項７】
前記ガイド部における前記左右の側縁には、衣類を折り畳み可能に構成された左右の下支持部分がそれぞれ回動自在に取り付けられていることを特徴とする請求項１〜６のいずれか一項に記載のハンガー。
【請求項８】
請求項１〜６のいずれか一項に記載の前記ハンガーと、前記ハンガー部の前記本体部分に対して吊り下げられた状態に掛止可能に構成され、前記ガイド部の前記左右の側縁より内側に収まるように構成された収容バッグと、を具備することを特徴とする衣類収納具。
【請求項９】
請求項１〜６のいずれか一項に記載の前記ハンガーと、前記ハンガー部の前記本体部分に掛止可能に構成されるとともに、少なくとも前記ハンガーに装着された状態で折り畳まれた衣類を外側から拘束可能に構成された保持バンドと、を具備することを特徴とする衣類収納具。
【請求項１０】
前記保持バンドは、前記本体部分に掛止されて上下方向に沿って延在する上下拘束バンド部と、該上下拘束バンド部に交差する方向に沿って延在する態様で前記上下拘束バンド部に連結された左右拘束バンド部とを有することを特徴とする請求項８に記載の衣類収納具。
【発明の詳細な説明】
【技術分野】
【０００１】
本発明はハンガー及び衣類収納具に係り、特に、鞄やスーツケースなどに衣類を収容する場合に好適なハンガー及び衣類収納具の構造に関する。
【背景技術】
【０００２】
一般に、旅行などで鞄やスーツケースなどに衣類を収納して移動し、旅先で鞄やスーツケースに対して衣類を出し入れする機会が多くある。このような場合に用いるものとして、各種のハンガーを備えた衣類収納具が知られている。特に、以下の特許文献１及び２に示すように、ハンガーの左右端部をズボン掛けと共に折り畳み可能に構成することにより、衣類を掛けた状態で左右端を折り畳み、コンパクトに収納可能にした折り畳み式ハンガーが知られている。
【先行技術文献】
【特許文献】
【０００３】
【特許文献１】登実第３１５０９２６号公報
【特許文献２】登実第３１９２５７８号公報
【発明の概要】
【発明が解決しようとする課題】
【０００４】
しかしながら、上記従来の折り畳み式ハンガーにおいては、衣類の肩部をハンガーに掛けた状態で左右の袖や胴の側縁部分をハンガー及びズボン掛けと共に簡単に折り畳むことにより、左右の幅をコンパクトにすることができる。しかし、これを鞄やスーツケースに入れるためには、左右に折り畳んだ衣類の下部をさらに上部の側に折り畳む必要がある。ところが、衣類の左右を折り畳む際に、衣類の上部は上述のようにハンガーによって支持されているが、衣類の下部を支持するものがないため、衣類を左右方向にきちんと折り畳むことが難しい。その結果、衣類に皺が寄ってしまうことがある。また、衣類をさらにコンパクトに収納しようとすると、衣類の下部を上側に折り返す必要があるが、このようにすると、衣類が乱れた状態でさらに上側へ折り返されるため、衣類にさらに皺が寄ってしまうという問題点がある。
【０００５】
そこで、本発明は上記問題点を解決するものであり、その課題は、衣類をコンパクトに収納する際に整然と折り畳むことのできるハンガー及び衣類収納具を実現することにある。
【課題を解決するための手段】
【０００６】
斯かる実情に鑑み、本発明のハンガーは、本体部分、及び、該本体部分の左右においてそれぞれ衣類が左右に折り畳み可能となるように前記本体部分と重なる態様に変位可能に連結された左右の肩支持部分を有するハンガー部と、前記本体部分の左右の側縁位置から下方へ延在する左右の側縁を備えるガイド部と、を有することを特徴とする。ここで、前記ガイド部は、前記左右の側縁を連結する方向に延在する下縁をさらに備えることが好ましい。
【０００７】
本発明において、前記ガイド部は、前記本体部分から前記側縁を構成する左右の側枠部分がそれぞれ下方へ延在するとともに、前記下縁を構成し、前記左右の側枠部分の下端同士を連結する下端枠部分とを有する枠状に構成されることが好ましい。
【０００８】
本発明において、前記ガイド部は、上下方向に伸縮可能に構成されることが好ましい。この場合において、前記ガイド部を伸長状態に付勢するガイド部付勢部材をさらに有することが望ましい。
【０００９】
次に、本発明の衣類収納具は、前記ハンガーと、前記ハンガー部の前記本体部分に対して吊り下げられた状態に掛止可能に構成され、前記ガイド部の前記左右の側縁より内側に収まるように構成された収容バッグと、を具備することを特徴とする。この収容バッグには、下着などを収納することができる。
【００１０】
本発明において、前記ハンガーと、前記ハンガー部の前記本体部分に掛止可能に構成されるとともに、少なくとも前記ハンガーに装着された状態で折り畳まれた衣類を外側から拘束可能に構成された保持バンドと、を具備することが好ましい。この場合において、前記保持バンドは、前記本体部分に掛止されて上下方向に沿って延在する上下拘束バンド部と、該上下拘束バンド部に交差する方向に沿って延在する態様で前記上下拘束バンド部に連結された左右拘束バンド部とを有することが望ましい。
【発明の効果】
【００１１】
本発明によれば、衣類をコンパクトに収納する際に整然と折り畳むことのできるハンガー及び衣類収納具を実現できるという優れた効果を奏し得る。
【図面の簡単な説明】
【００１２】
【図１】本発明の第１実施形態のハンガーを示す平面図、正面図及び右側面図（ａ）、並びに、その斜視図（ｂ）、また、第１実施形態のハンガーの左右の肩支持部を折り畳んだ状態を示す平面図、正面図及び右側面図（ｃ）、並びに、その斜視図（ｄ）である。
【図２】各実施形態のハンガーに装着可能な収容バッグの斜視図、正面図及び右側面図である。
【図３】各実施形態のハンガーとともに使用可能な保護バンドの斜視図、正面図及び右側面図である。
【図４】各実施形態のハンガーを含む衣類収納具を用いて衣類をコンパクトにまとめた状態を模式的に示す斜視図、正面図及び右側面図である。
【図５】各実施形態のハンガーに衣類を掛けた状態を示す正面図及び右側面図（ａ）、並びに、各実施形態のハンガーに衣類を掛けて左右を折り畳んだ状態を示す正面図及び右側面図（ｂ）である。
【図６】各実施形態のハンガーに衣類を掛けた状態を透視状態で示す正面図及び右側面図（ａ）、並びに、各実施形態のハンガーに衣類を掛けて左右を折り畳んだ状態を透視状態で示す正面図及び右側面図（ｂ）である。
【図７】本発明の第２実施形態のハンガーを示す平面図、正面図及び右側面図（ａ）、並びに、その斜視図（ｂ）、また、第２実施形態のハンガーの左右の肩支持部を折り畳んだ状態を示す平面図、正面図及び右側面図（ｃ）、並びに、その斜視図（ｄ）、さらに、第２実施形態のハンガーのガイド部を上下方向に短縮させた状態を示す平面図及び正面図（ｅ）、並びに、その斜視図（ｆ）である。
【図８】第２実施形態のハンガーを用いて衣類を折り畳む手順を示す図（ａ）〜（ｄ）である。
【図９】本発明の第３実施形態のハンガーを示す平面図、正面図及び右側面図（ａ）、並びに、その斜視図（ｂ）、また、第３実施形態のハンガーの左右の肩支持部を折り畳んだ状態を示す平面図、正面図及び右側面図（ｃ）、並びに、その斜視図（ｄ）、さらに、第３実施形態のハンガーのガイド部を上下方向に短縮させた状態を示す平面図及び正面図（ｅ）、並びに、その斜視図（ｆ）である。
【図１０】本発明の第４実施形態のハンガーを示す平面図、正面図及び右側面図（ａ）、並びに、その斜視図（ｂ）、また、第４実施形態のハンガーの左右の肩支持部分と下支持部分を折り畳んだ状態を示す平面図、正面図及び右側面図（ｃ）、並びに、その斜視図（ｄ）、さらに、第４実施形態のハンガーのガイド部を上下方向に短縮させた状態を示す平面図及び正面図（ｅ）、並びに、その斜視図（ｆ）である。
【図１１】本発明の第５実施形態のハンガーを示す平面図である。
【発明を実施するための形態】
【００１３】
次に、添付図面を参照して本発明の実施形態について詳細に説明する。なお、本明細書及び特許請求の範囲において、上下及び左右、上部、下部、上側、下側、水平方向などの方向を示す用語は、それぞれ、複数の箇所の間の相対的な位置関係を示すためだけに用いるものであり、それぞれが単独で絶対的な意味を有するものではない。最初に、図１乃至図４を参照して、第１実施形態のハンガー及び衣類収納具について説明する。
【００１４】
図１に示すように、本実施形態のハンガー１０は、ハンガー部１０Ａと、ガイド部１０Ｂとを具備する。ハンガー部１０Ａには、中央の本体部分１１と、左右の肩支持部分１２，１２とが設けられる。本体部分１１と肩支持部分１２，１２とは、ヒンジなどの連結構造１３によって左右方向に折り畳み可能に構成される。図示例の場合、左右の肩支持部分１２，１２は、本体部分１１の正面側の面上に折り畳み可能に構成されている。具体的には、図１（ａ）及び（ｂ）に示す展開状態においては、本体部分１１に対して、上記連結構造１３を介することにより、前後方向である厚み方向に見て正面側に僅かにずれた位置に配置されるように構成される。一方、折り畳み状態になると、厚み方向には上記と同じ位置で、本体部分１１と重なる場所に配置される。なお、細部構造については説明を省略するが、肩支持部分１２は、衣類の肩部を内側から支持するように構成されることが好ましい。また、連結構造１３は、上記展開状態が或る程度の保持力で保持されるように構成されることが好ましい。
【００１５】
なお、本体部分１１と肩支持部分１２との間の連結構造１３は図示のように肩支持部分１２が本体部分１１に対して折り畳み可能とされることにより、衣類が折り畳み状態となっても衣類の肩部分が肩支持部分１２に支持された状態が維持されるため、より好ましい折り畳み状態が得られる。但し、本発明では、上記の態様には限定されない。すなわち、結果として、後述する衣類４０を左右に折り畳み可能な態様で本体部分１１と肩支持部分１２が連結されていればよい。例えば、肩支持部分１２は、本体部分１１に対してスライド可能に連結され、内側にスライド移動することにより、肩支持部分１２が本体部分１１上に重なるように配置される構造であってもよい。
【００１６】
また、連結構造１３は左右の肩支持部分１２，１２が開いた展開位置で、肩支持部分１２，１２を一定の保持力で保持可能に構成されていることが好ましい。換言すると、連結構造１３は、肩支持部分１２，１２の展開位置では、肩支持部分１２，１２を展開状態に保持しており、肩支持部分１２，１２に力が加わると、肩支持部分１２，１２の展開状態を解除するように構成されている。例えば、連結構造１３は凸部や爪を有する。肩支持部分１２，１２が展開状態に保持されるので、衣類をハンガー１０に掛け易くできる。
【００１７】
この場合、連結構造１３はクリックヒンジの如く肩支持部分１２，１２の展開位置で独特の感触（クリック感）を有していてもよいし、パチンという音を発するように構成されていてもよい。これによって、音や手応えによって肩支持部分１２，１２の展開位置を分かり易くできる。さらに、連結構造１３はスナップヒンジの如く、ばね性を備えていてもよい。その際、連結構造１３は肩支持部分１２が開く方向に付勢されていてもよいし、閉じる方向に付勢されていてもよい。肩支持部分１２の開閉時に適度な手応えを得ることができる。また、連結構造１３はダンパーヒンジの如く、肩支持部分１２，１２を任意の傾斜姿勢で保持可能に構成されていてもよい。
【００１８】
同様に、連結構造１３は左右の肩支持部分１２，１２が閉じた折り畳み位置で、肩支持部分１２，１２を一定の保持力で保持可能に構成されていることが好ましい。換言すると、連結構造１３は、肩支持部分１２，１２の折り畳み位置では、肩支持部分１２，１２を折り畳み状態に保持しており、肩支持部分１２，１２に力が加わると、肩支持部分１２，１２の折り畳み状態を解除するように構成されている。例えば、連結構造１３は凸部や爪を有する。衣類をハンガー１０に掛けた状態で衣類と肩支持部分１２，１２を折り畳むことにより、衣類を折り畳み状態に固定できる。
【００１９】
この場合、連結構造１３はクリックヒンジの如く肩支持部分１２，１２の折り畳み位置で独特の感触（クリック感）を有していてもよいし、パチンという音を発するように構成されていてもよい。これによって、音や手応えによって肩支持部分１２，１２の折り畳み位置を分かり易くできる。さらに、連結構造１３はスナップヒンジの如く、ばね性を備えていてもよい。その際、連結構造１３は肩支持部分１２が開く方向に付勢されていてもよいし、閉じる方向に付勢されていてもよい。肩支持部分１２の開閉時に適度な手応えを得ることができる。また、連結構造１３はダンパーヒンジの如く、肩支持部分１２，１２を任意の傾斜姿勢で保持可能に構成されていてもよい。勿論、連結部材１３は左右の肩支持部分１２，１２の展開位置と折り畳み位置との双方で、肩支持部分１２，１２を一定の保持力で保持可能に構成されていてもよい。
【００２０】
本体部分１１には、ハンガー１０をクローゼットやタンス内に吊り下げるための吊下フック１１ａと、短幅掛止孔１１ｂ、１１ｃ、１１ｄと、この短幅掛止孔より長く、左右方向に本体部分１１の全幅に近い長い幅を有する長幅掛止孔１１ｅ、１１ｆと、が形成されている。吊下フック１１ａは、取付基部を回動させることにより、横倒し姿勢としたり、上記掛止孔が設けられた部分に重ねて配置したりすることができるようになっている。短幅掛止孔１１ｂ、１１ｃ、１１ｄは、例えば、後述する保持バンド３０の上下拘束バンド部３１を掛止する掛止孔１１ｂとして用いたり、ネクタイやベルトを掛止するための掛止孔１１ｃ，１１ｄとして用いたりすることができる。また、長幅掛止孔１１ｅ，１１ｆは、例えば、ズボン（スラックス）を掛止する掛止孔１１ｅとして用いたり、後述する収容バッグ２０を掛止する掛止孔１１ｆとして用いたりすることができる。なお、図面に示す各実施形態において、吊下フック１１ａ、吊下フック１１ａを除く本体部分１１、及び、左右の肩支持部分１２，１２は、いずれも、連結構造１３が正面側へ屈折している点を除き、正面と背面の形状が対称に構成される。
【００２１】
ガイド部１０Ｂには、本体部分１１の下端部の左右の両縁部に取り付けられ、当該両縁部から下方へ垂直に伸びる左右の側枠部分１４，１４と、左右の側枠部分１４，１４の下端同士を横方向に伸びて接続するように構成された下端枠部分１５とを有する。ガイド部１０Ｂは、図示例では、左右の側枠部分１４，１４と下端枠部分１５とにより、Ｕ字状若しくはコ字状に構成されたガイド枠状に形成されている。但し、ガイド部１０Ｂは、これに限らず、上記側枠部分１４，１４によって構成される左右の側縁と、上記下端枠部分１５によって構成される下縁とを有するものであればよく、例えば、上記側縁と上記下縁を有する板状体であってもよい。なお、図面に示す各実施形態において、ガイド部１０Ｂは、正面と背面の形状が対称（同一）に形成される。
【００２２】
本実施形態では、図１（ｃ）及び（ｄ）に示すように、ハンガー部１０Ａの左右の肩支持部分１２，１２を内側へ折り畳むことにより、ハンガー部１０Ａの左右の側縁（連結構造１３）と、ガイド部１０Ｂの左右の側枠部分１４，１４とがほぼ上下方向に並ぶ形態となる。なお、例えば、連結構造１３に左右の肩支持部分１２，１２を回動可能に軸支する回動軸が含まれる場合において、当該回動軸と、ガイド部１０Ｂの左右の側枠部分１４，１４とが同一直線状に配列されるように構成してもよく、或いは、さらに、上記回動軸と側枠部分１４，１４とが一体に構成されるようにしてもよい。これらのようにすれば、ハンガー部１０Ａの本体部分１１の左右の側縁（連結構造１３）と、ガイド部１０Ｂの左右の側縁（側枠部分１４，１４）との間の左右方向の僅かなずれをさらに低減したり、或いは、なくしたりすることができる。
【００２３】
図２には、各実施形態（上記第１実施形態に限らず、後述する第２実施形態から第５実施形態までのいずれでもよい。以下同様。）に適用可能な収容バッグ２０の構成例を示す。この収容バッグ２０は、収容部本体２１と、この収容部本体２１の背面部の上端から延在する屈曲部２２と、この屈曲部２２を介して収容部本体２１に接続された蓋体部２３とを備える。蓋体部２３には収容部本体２１の正面部に形成される被装着部（図示せず）に装着された状態に保持される装着部２４が形成される。装着部２４と上記被装着部は、例えば、スナップ（ボタン）構造やマグネット吸着構造などの保持構造を備えるものでよい。ただし、好ましくは、相互に嵌合することによる位置決め機能をも備えたものであることが好ましい。
【００２４】
上記収容バッグ２０は、各実施形態の長幅掛止孔１１ｆに蓋体部２３を挿通し、装着部２４を装着して保持された態様とすることにより、屈曲部２２が長幅掛止孔１１ｆに掛止されて、ハンガー部１０Ａの本体部分１１に吊り下げられた状態に取り付けることができる。このとき、収容バッグ２０の屈曲部２２及び蓋体部２３の幅は長幅掛止孔１１ｆに挿通可能な幅とされるとともに、収容部本体２１もガイド部１０Ｂの左右の側枠部分１４と１４の間に配置可能な寸法とされている。
【００２５】
図３には、各実施形態のハンガー１０及び収容バッグ２０を用いて衣類をコンパクトにまとめるための保持バンド３０の構成例を示す。保持バンド３０は、上下方向に伸びてハンガー部１０Ａの本体部分１１に形成された上記短幅掛止孔１１ｂ，１１ｃ，１１ｄに挿通可能に構成された上下拘束バンド部３１と、この上下拘束バンド部３１と交差する姿勢で連結された左右拘束バンド部３２とを備えている。上下拘束バンド部３１には、着脱可能に構成された着脱部分３１ａが設けられ、この着脱部分３１ａを取り外した状態で上記短幅掛止孔１１ｂ，１１ｃ，１１ｄに上下拘束バンド部３１を挿通させてから、再び着脱部分３１ａを連結させることができる。着脱部分３１ａは面ファスナー、フック構造、スナップ構造などの適宜の保持構造を有するもので構成できる。なお、図示例では、左右拘束バンド部３２にも上記着脱部分３１ａと同様の着脱部分３２ａが形成されている。このようにすると、さらに作業性を向上できる。また、上下拘束バンド部３１と左右拘束バンド部３２を連結する連結部３３は、図示例では、上下拘束バンド部３１において相互に隣接して形成された一対のスリット開口に左右拘束バンド部３２を挿通することによって構成しているが、図示例に限らず、接着、縫着、或いは、連結金具を用いた構造など、種々の連結構造を用いることができる。
【００２６】
図４には、上述のハンガー１０、収容バッグ２０及び保持バンド３０からなる衣類収納具により、衣類４０をコンパクトにまとめた状態を示す。なお、図４に示す衣類４０は上下丈が短い衣類を想定し、ガイド部１０Ｂの下端が露出する状態となっている。ただし、衣類４０の丈がガイド部１０Ｂより長い場合には、衣類４０の下部を上方へ折り返して、図示点線で示すように、ガイド部１０Ｂが衣類４０により完全に覆われた状態で、保持バンド３０によって保持された状態とすることにより、さらにコンパクトにまとめることができる。
【００２７】
図５（ａ）は、各実施形態の展開状態にあるハンガー１０に衣類４０を装着した場合を示す正面図及び右側面図、図５（ｂ）は、衣類４０の左右の肩部分をハンガー１０とともに折り畳んだ場合を示す正面図及び右側面図である。同様に、図６（ａ）及び（ｂ）は、上記図５（ａ）及び（ｂ）に対応する場合について衣類４０を透視状態とした図面である。図示例では、衣類４０は、上着４１、ズボン（スラックス）４２、ネクタイ４３、ベルト４４からなる例を示してある。この場合、上着４１はハンガー部１０Ａに掛け、ズボン４２は上記長幅掛止孔１１ｅに掛け、ネクタイ４３とベルト４４は上記短幅掛止孔１１ｃ，１１ｄに掛ける。このとき、収容バッグ２０は上述のように長幅掛止孔１１ｆに掛けられて、ズボン４２の内側に配置される。この収容バッグ２０の中には、下着、ハンカチ、スカーフ、マフラー、帽子などを収納することができる。
【００２８】
図示例のように、上着４１などの丈が長く、衣類４０の下端がガイド部１０Ｂよりも下方に配置される場合には、図５（ｂ）及び図６（ｂ）に示すように衣類４０を左右から内側へ折り畳んだ後に、衣類４０の下端を上方へ折り返すことにより、図４に点線で示す態様で、保持バンド３０によって上下及び左右に保持し、ハンガー１０と一体にまとめることができる。
【００２９】
本実施形態によれば、ハンガー部１０Ａの本体部分１１の左右の側縁位置とほぼ同様の左右方向の位置に、本体部分１１の下縁から下方へ延在するガイド部１０Ｂの左右の側縁（側枠部分１４，１４）が配置されている。このため、図５及び図６に示すように、衣類４０をハンガー部１０Ａの肩支持部分１２とともに左右に折り畳む際に、衣類４０の折り畳みの折り目が、ガイド部１０Ｂの左右の側縁（側枠部分１４，１４）によって内側から支持されるから、衣類４０を左右に整然と折り畳むことができる。したがって、衣類４０が長い場合でも、容易に整然とした折り畳み状態を実現することができるため、衣類４０に皺などが付きにくくなる。特に、衣類４０の下部を上方へ折り返す場合には、ガイド部１０Ｂの下縁（下端枠部分１５）により、上側への折り返しの折り目部分が内側から支持されるため、衣類４０を上下方向にも整然と折り畳むことができる。したがって、この場合にはさらに皺を付きにくくすることが可能である。
【００３０】
図７は、本発明に係る第２実施形態のハンガー１０′を示す。ここで、本実施形態のハンガー１０′のうちの第１実施形態と同様の部分には同一符号を付し、それらの説明は省略する。本実施形態のハンガー１０′では、ガイド部１０Ｂ′のみが第１実施形態のガイド部１０Ｂと異なる。ガイド部１０Ｂ′は、ハンガー部１０Ａの本体部分１１に接続された左右の側枠上部１４ａ，１４ａと、これらの側枠上部１４ａ，１４ａに対してスライド自在に連結された側枠下部１４ｂ，１４ｂ及びこれらの側枠下部１４ｂと１４ｂを連結する下端枠部分１５′とを備えるＵ字状若しくはコ字状の連結枠部材とを有する。これによって、ガイド部１０Ｂ′は、上下方向に伸縮可能に構成される。図示例では、側枠部分１４′を構成する側枠上部１４ａと側枠下部１４ｂが相互に入れ子構造とされ、側枠上部１４ａが側枠下部１４ｂ内に収容される態様でスライド可能に構成されている。ただし、これとは逆に、側枠上部１４ａが側枠下部１４ｂを収容する態様となっていたり、或いは、側枠部分１４′の全体が、伸縮可能な素材で構成されていたり、伸縮可能な構造を有していたりしてもよい。すなわち、ガイド部１０Ｂ′（ガイド枠）は、結果として上下方向に伸縮可能に構成されていればよい。ここで、図７（ａ）〜（ｄ）は伸長状態のガイド部１０Ｂ′を示し、図７（ｅ）及び（ｆ）は短縮状態のガイド部１０Ｂ′を示す。
【００３１】
図８（ａ）〜（ｄ）は第２実施形態のハンガー１０′を用いて衣類を折り畳む手順を示す。これら図ではハンガー１０′を透視状態で示し、衣類４０の一例としてシャツ４５を用いる。衣類を折り畳む手順としては、まず、シャツ４５を展開状態のハンガー１０′に掛ける（図８（ａ））。次に、シャツ４５の一方の肩部分を一方の肩支持部分１２と共に外側へ（シャツ４５の後方へ）折り畳んで、シャツ４５の一方の肩部分と袖をシャツ４５の背面上に重ねる。その後同様に、シャツ４５の他方の肩部分を他方の肩支持部分１２と共に外側へ折り畳んで、シャツ４５の他方の肩部分と袖をシャツ４５の背面上にさらに重ねる（図８（ｃ））。最後に、シャツ４５の下端を上方へ持ち上げてガイド部１０Ｂ′を短縮させながら、シャツ４５を２つ折り又は３つ折りにする（図８（ｄ））。これにより、シャツ４５が整然と折り畳まれる。もっとも、ハンガー１０′の使用方法は自由であり、図５と図６に示すように、シャツ４５の両肩部分を内側へ（シャツ４５の前方へ）折り畳むようにハンガー１０′を使用してもよい。図示例ではシャツ４５を用いたが、衣類は特に限定されず、上着でもコートでもＹシャツでもＴシャツでもよい。
【００３２】
図９は、本発明に係る第３実施形態のハンガー１０″を示す。ここで、本実施形態のハンガー１０″のうちの第１実施形態又は第２実施形態と同様の部分には同一符号を付し、それらの説明は省略する。本実施形態のハンガー１０″では、ガイド部１０Ｂ″のみが第１実施形態のガイド部１０Ｂと異なる。ガイド部１０Ｂ″は、第２実施形態のガイド部１０Ｂ′と同様に、ハンガー部１０Ａの本体部分１１に接続された左右の側枠上部１４ａ，１４ａと、これらの側枠上部１４ａ，１４ａに対してスライド自在に連結された側枠下部１４ｂ，１４ｂ及びこれらの側枠下部１４ｂと１４ｂを連結する下端枠部分１５′とを備えるＵ字状若しくはコ字状の連結枠部材とを有する。これによって、ガイド部１０Ｂ′は、上下方向に伸縮可能に構成される。なお、この構造に関しては、第２実施形態で説明したものと同様に種々の変形を施すことができる。
【００３３】
本実施形態では、側枠上部１４ａ，１４ａを挿通するようにコイルばね１６が装着されている。このコイルばね１６は、本体部分１１の下縁と上記連結枠部材（側枠下部１４ｂ）の上端部との間で、圧縮状態とされている。これにより、ガイド部１０Ｂ″は常に伸長状態となる方向に付勢されており、外力が加わらない限り、図９（ａ）〜（ｄ）に示す伸長状態に保持される。使用者の操作力や保持バンド３０の拘束力を加えた状態では、ガイド部１０Ｂ″を図９（ｅ）及び（ｆ）に示す短縮状態とすることができる。なお、側枠上部１４ａに装着された上記コイルばね１６により構成されるガイド部付勢部材は、ガイド部１０Ｂ″（ガイド枠）を上下方向に伸長させる方向に付勢する機能を有するものであればよく、例えば、エアシリンダ構造や弾性ゴムを用いたものであってもよい。
【００３４】
図１０は本発明に係る第４実施形態のハンガー１０１を示す。本実施形態のハンガー１０１のうち、第１実施形態から第３実施形態までと同一部分には同一符号を付し、それらの説明は省略する。第４実施形態のハンガー１０１では、ガイド部１０１Ｂのみが第３実施形態のガイド部１０Ｂ″と異なる。ガイド部１０１Ｂには、左右の下支持部分１１２，１１２が左右の側枠下部１４ｂ，１４ｂにそれぞれ回動自在に取り付けられている。下支持部分１１２，１１２と側枠下部１４ｂ，１４ｂとは、ヒンジなどの連結構造１１３によって左右方向に折り畳み可能に構成される。これにより、衣類の下側部分（衣類の下の縁側部分）を内側から支持した状態で衣類を折り畳むことができる。なお、連結構造１１３は連結構造１３と同一の機能を有するものであり、例えばクリックヒンジやスナップヒンジやダンパーヒンジであり、その説明は省略する。また、ガイド部１０１Ｂの伸縮によって、左右それぞれの下支持部分１１２，１１２と肩支持部分１２，１２とは互いに近づいたり離れたりするように構成される。なお、左右それぞれの肩支持部分１２，１２と下支持部分１１２，１１２とは、互いに独立して折り畳まれるように構成されてもよいし、互いに連動して折り畳まれるように構成されていてもよい。
【００３５】
下支持部分１１２は本体１１２ａと張り出し部１１２ｂとを有する。これら本体１１２ａと張り出し部１１２ｂは、側枠下部１４ｂ（連結構造１１３）の左右にそれぞれ位置する。つまり、下支持部分１１２の展開状態では、本体１１２ａが側枠下部１４ｂの外側に配置されるとともに、張り出し部１１２ｂが側枠下部１４ｂの内側に配置される。一方、下支持部分１１２の折り畳み状態では、本体１１２ａが側枠下部１４ｂの内側に配置されるとともに、張り出し部１１２ｂが側枠下部１４ｂの外側に配置される。これにより、左右の本体１１２ａ，１１２ａは衣類の下側部分を内側から支持可能であるとともに、左右の張り出し部１１２ｂ，１１２ｂは衣類の下側部分の折り目を内側から支持可能に構成される。なお、図１０では、本体１１２ａをＵ字状又はコ字状の枠状とし、張り出し部１１２ｂを板状としているが、衣類４０の下側部分を内側から支持可能であればよく、本体１１２ａを板状にしてもよいし、張り出し部１１２ｂを枠状にしてもよい。
【００３６】
ここで、下支持部分１１２の本体１１２ａの左右方向の幅長は、肩支持部分１２の幅長と同一又はほぼ同一に設定されている。これにより、図１０（ａ）に示すように、左右の肩支持部分１２，１２と下支持部分１１２，１１２との両方を開いた展開状態では、左右方向のハンガー部１０Ａの幅長とガイド部１０１Ｂの幅長とが同一又はほぼ同一に構成される。また、図１０（ｅ）に示すように、張り出し部１１２ｂの左右方向の幅長は、左右の下支持部分１１２，１１２を折り畳んだ状態におけるハンガー部１０Ａの幅長Ｗ２が、左右の肩支持部分１２，１２を折り畳んだ状態におけるガイド部１０１Ｂの幅長Ｗ１と同一又はほぼ同一になるように設定されている。したがって、左右の肩支持部分１２，１２と下支持部分１１２，１１２との両方を閉じた折り畳み状態では、左右方向のハンガー部１０Ａの幅長Ｗ１と、ガイド部１０１Ｂの幅長Ｗ２とが同一又はほぼ同一に構成される。これにより、衣類の上下の両側縁を揃えた状態で折り畳むことができるとともに、衣類の上下の折り目位置を揃えることができる。
【００３７】
図１１は本発明に係る第５実施形態のハンガー１０２を示す。本実施形態のハンガー１０２のうち、第１実施形態から第４実施形態までと同一部分には同一符号を付し、それらの説明は省略する。第５実施形態のハンガー１０２では、ガイド部１０２Ｂのみが第４実施形態のガイド部１０１Ｂと異なる。ガイド部１０２Ｂには、左右の側枠上部１４ａ，１４ａの外側に、一対の側枠上部１４ａ′，１４ａ′が追加されており、合計４本の側枠上部１４ａ，１４ａ，１４ａ′，１４ａ′を備えている。追加された一対の側枠上部１４ａ′，１４ａ′は、左右の肩支持部分１２，１２と下支持部分１１２′，１１２′をそれぞれ連結している。このため、左右それぞれの肩支持部分１２と下支持部分１１２とが連動して折り畳まれるように構成される。
【００３８】
また、これら側枠上部１４ａ′，１４ａ′のうち、一方は、左の肩支持部分１２と下支持部分１１２との側縁に対応する位置に配置されており、他方は、右の肩支持部分１２と下支持部分１１２との側縁に対応する位置に配置されている。このため、左右の肩支持部分１２，１２の側縁と側枠上部１４ａ′，１４ａ′の外縁と下支持部分１１２，１１２の側縁とが，それぞれ左右方向に揃えられており、上下方向に一直線状又はほぼ一直線状となるように構成される。これにより、衣類の両側縁を上下方向沿って内側から支持できる。なお、左右の側枠上部１４ａ′，１４ａ′は左右の下支持部分１１２，１１２の本体１１２ａ，１１２ａの中に収納可能な入れ子構造を有しており、側枠上部１４ａ′と下支持部分１１２とはスライド自在に連結されている。また、左右の側枠上部１４ａ′，１４ａ′にはコイルばね１６′が装着されている。このコイルばね１６′はコイルばね１６と同一であり、その説明は省略する。
【００３９】
なお、第５実施形態において、左右の下支持部分１１２′，１１２′の本体１１２ａ′，１１２ａ′はＬ字状であり、その上端（一端）が側枠上部１４ａ′，１４ａ′と連結しており、その側端（他端）が連結構造１１３，１１３を介して側枠下部１４ｂ，１４ｂと連結している。しかしながら、これら下支持部分１１２′，１１２′の本体１１２ａ′，１１２ａ′は、第４実施形態における下支持部分１１２，１１２の本体１１２ａ，１１２ａと同様に、Ｕ字状又はコ字状であってもよい。
【００４０】
第２実施形態や第３実施形態のガイド部１０Ｂ′，１０Ｂ″を有する場合でも、図５及び図６に示すように衣類４０の左右を折り畳んだ後に、衣類４０の下端を上方へ折り返す際に、第１実施形態と同様に、ガイド部１０Ｂ′、１０Ｂ″の下端枠部分（下端縁部分）１５′が衣類４０の折り目に沿って配置される態様とすることができる。これにより、衣類４０の下部を上方へ折り返したときの折り目を下端枠部分（下端縁部分）１５′によって容易に直線状とし、整然とした折り畳み状態を実現できる。但し、第２実施形態や第３実施形態では、ガイド部１０Ｂ′，１０Ｂ″を上下方向に短縮させることができるため、上下丈の長いものなどの種々の衣類４０に対応可能に構成した場合でも、最終的に衣類４０を上下に折り畳むことにより、上下方向にもコンパクトにまとめることができる。したがって、小さな鞄やスーツケースにも容易に収容できる。
【００４１】
特に、第３実施形態のようにガイド部１０Ｂ″がガイド部付勢部材により伸長状態に向けて付勢されている場合には、衣類４０の下部を上方へ折り返したときに、折り目に対してガイド部１０Ｂ″の下縁（下端枠部分１５′）が内側から下方へ向けて押し当てられるため、さらに容易に折り畳み状態を整然と形成することができる。また、第１実施形態から第５実施形態までのハンガー１０、１０′、１０″、１０１、１０２に衣類を掛けた状態でも、衣類を掛けて折り畳んだ状態でも、ガイド枠状のガイド部１０Ｂ、１０Ｂ′、１０Ｂ″、１０１Ｂ、１０２Ｂが衣類を内側から支持できるので、保持バンド３０の上下結束バンド３１や左右結束バンド３２によって衣類を強固に締結しても、衣類が潰れてしまうことなく、衣類をしっかりまとめることができる。
【００４２】
尚、本発明のハンガー及び衣類収納具は、上記各実施形態に限らず、種々の変形を施すことができる。例えば、ガイド部１０Ｂを衣類４０の下部を上方へ折り返す際に一緒に折り曲げた状態となることができる材質で構成してもよい。また、ハンガー１０の形状や掛止孔の形状や配置、吊下フック１１ａの有無や形状及び構造なども種々に改変することができる。さらに、ハンガー１０の本体部分１１と肩支持部分１２の間の連結構造１３も、上記実施形態のような左右に折り畳み可能な連結構造に限らず、左右の肩支持部分１２がそれぞれ本体部分１１に対して幅方向にスライド可能に構成されることにより、肩支持部分１２が本体部分１１と重なる位置まで並進移動可能な連結構造としてもよい。すなわち、結果として、ハンガー１０に装着した衣類４０の左右の肩部分が内側に折り畳み可能となるように構成されていればよい。また、下支持部分１１２、１１２′は本体１１２ａ、１１２ａ′と張り出し部１１２ｂを有しているが、張り出し部１１２ｂがなくてもよく、下支持部分１１２、１１２′が本体部１１２ａ、１１２ａ′のみを備えていてもよい。
【符号の説明】
【００４３】
１０…ハンガー  １０Ａ…ハンガー部、１１…本体部分、１１ａ…吊下フック、１１ｂ，１１ｃ，１１ｄ…短幅掛止孔、１１ｅ，１１ｆ…長幅掛止孔、１２…肩支持部分、１３…連結構造、１０Ｂ…ガイド部、１４，１４′…左右の側枠部分（側縁に相当する。）、１４ａ…側枠上部、１４ｂ…側枠下部、１５，１５′…下端枠部分（下縁に相当する。）、２０…収容バッグ、３０…保護バンド、３１…上下拘束バンド部、３１ａ…着脱部分、３２…左右拘束バンド部、３２ａ…着脱部分、３３…連結部
【図１】
2018094371.tif 000003
【図２】
2018094371.tif 000004
【図３】
2018094371.tif 000005
【図４】
2018094371.tif 000006
【図５】
2018094371.tif 000007
【図６】
2018094371.tif 000008
【図７】
2018094371.tif 000009
【図８】
2018094371.tif 000010
【図９】
2018094371.tif 000011
【図１０】
2018094371.tif 000012
【図１１】
2018094371.tif 000013